(57)【要約】【課題】振動や騒音を低減することができるモータを提供する。【解決手段】モータ１は、径方向に突出した突出部２２、または径方向に没入した没入部２３を少なくとも一つ有するステータコア２０と、モータ軸１０の軸方向一方側に位置するモータ脚部４０と、を備え、モータ脚部４０の外形は、軸方向に視て、軸中心を通る対称軸について線対称な形状であり、突出部３１または没入部３２は、軸方向に視て、対称軸に対し角度を持つ方向に存在している。【選択図】図７
2020058115.tif 000002
【特許請求の範囲】
【請求項１】
径方向に突出した突出部、または径方向に没入した没入部を少なくとも一つ有するステータコアと、
モータ軸の軸方向一方側に位置するモータ脚部と、
を備え、
前記モータ脚部の外形は、軸方向に視て、軸中心を通る対称軸について線対称な形状であり、前記突出部または前記没入部は、軸方向に視て、前記対称軸に対し角度を持つ方向に存在している、モータ。
【請求項２】
前記突出部または前記没入部は、分割コア同士を接続する接続部である、請求項１に記載のモータ。
【請求項３】
前記ステータコアはストレートコアによって形成され、前記接続部は１か所である、請求項２に記載のモータ。
【請求項４】
前記ステータコアは２分割コアによって形成され、前記接続部は２か所であり、該溶接部は互いに径方向に対向する、請求項２に記載のモータ。
【請求項５】
前記ステータコアは３分割コアによって形成され、前記接続部は３か所であり、互いに周方向に１２０度の角度を隔てて配置されている、請求項２に記載のモータ。
【請求項６】
前記モータ脚部は、軸方向に視て、多角形状である、請求項１から５のいずれか一項に記載のモータ。
【請求項７】
前記突出部または前記没入部は、軸方向に視て、軸中心から前記モータ脚部の外形の対角線方向に存在している、請求項６に記載のモータ。
【請求項８】
前記モータ脚部は、軸方向に視て、長方形状である、請求項６または請求項７に記載のモータ。
【請求項９】
前記モータ脚部は、軸方向に視て、三角形状である、請求項６または請求項７に記載のモータ。
【請求項１０】
前記モータ脚部は、モータ本体を接続する補強リブを備える、請求項１から９のいずれか一項に記載のモータ。
【請求項１１】
前記補強リブは、軸方向に視て、前記モータ本体から前記突出部または前記没入部が存在する方向に配置 されている、請求項１０に記載のモータ。
【請求項１２】
前記補強リブは板状であり、該補強リブの板厚は前記モータ脚部の軸方向厚みと等しい、請求項１０または請求項１１に記載のモータ。
【請求項１３】
前記モータ脚部はボルト孔を有し、前記補強リブは前記ボルト孔よりも径方向内側に位置している、請求項１０から１２のいずれか一項に記載のモータ。
【請求項１４】
前記補強リブの軸方向高さは、前記ステータコアの軸方向高さと等しい、請求項１０から１３のいずれか一項に記載のモータ。
【請求項１５】
前記モータ脚部は、軸方向に視て、楕円形または長円形である、請求項１に記載のモータ。
【請求項１６】
前記ステータコアの外周面に溝が設けられている、請求項１から１５のいずれか一項に記載のモータ。
【請求項１７】
モータの極数は１０極、スロット数は１２スロットである、請求項１から１６のいずれか一項に記載のモータ。
【発明の詳細な説明】
【技術分野】
【０００１】
本発明は、モータに関する。
【背景技術】
【０００２】
複数の分割鉄心で構成される回転電機の固定子鉄心が知られる。例えば、特許文献１には、互いに隣り合う分割鉄心の接合部の周辺外周面に窪み部が配置される構成が記載される。特許文献１によれば、分割型の固定子鉄心と外筒鉄心の保持力を高めることで振動・騒音の低減効果の高い回転電機の固定子を得ることができる。
【先行技術文献】
【特許文献】
【０００３】
【特許文献１】特開２０１７−２０４９１２号公報
【発明の概要】
【発明が解決しようとする課題】
【０００４】
ところで、複数の分割コアで構成されるステータコアは、環状に成形する際の取り付け精度や寸法誤差等の影響により、プレス打ち抜き可能な一体構造のステータコアに比べて真円度が低くなる。これにより複数の分割コアで構成されるステータコアでは、周方向においてロータとステータの間のエアギャップの幅が不均一になるため、偏心による電磁力の変動が発生する。この電磁力変動により、振動や騒音が増大する虞がある。
【０００５】
そこで、本発明は、上記の課題に鑑みて、振動や騒音を低減することができるモータを提供することを目的とする。
【課題を解決するための手段】
【０００６】
本発明の例示的な一態様に係るモータは、径方向に突出した突出部、または径方向に没入した没入部を少なくとも一つ有するステータコアと、モータ軸の軸方向一方側に位置するモータ脚部と、を備え、上記モータ脚部の外形は、軸方向に視て、軸中心を通る対称軸について線対称な形状であり、上記突出部または上記没入部は、軸方向に視て、上記対称軸に対し角度を持つ方向に存在している。
【発明の効果】
【０００７】
本発明によれば、振動や騒音を低減することができるモータを提供することができる。
【図面の簡単な説明】
【０００８】
【図１】図１は、本実施形態に係るモータの外観を示す斜視図である。
【図２】図２は、本実施形態に係るモータの外観を示す平面図である。
【図３】図３は、本実施形態に係るモータの内部構造を示す軸方向断面図である。
【図４】図４は、ステータコアがストレートコアによって形成されている場合の平面図である。
【図５Ａ】図５Ａは、ストレートコアを円環状に成形した場合の凸形状のステータコアの模式図である。
【図５Ｂ】図５Ｂは、ストレートコアを円環状に成形した場合の凹形状のステータコアの模式図である。
【図６Ａ】図６Ａは、ステータコアが２分割コアによって形成されている場合の平面図である。
【図６Ｂ】図６Ｂは、ステータコアが３分割コアによって形成されている場合の平面図である。
【図７】図７は、本実施形態において、長方形状のモータ脚部にストレートコアのモータを配置した場合の模式図である。
【図８】図８は、本実施形態において、長方形状のモータ脚部に２分割コアのモータを配置した場合の模式図である。
【図９】図９は、本実施形態において、長方形状のモータ脚部に３分割コアのモータを配置した場合の模式図である。
【図１０】図１０は、本実施形態において、溝を有するステータコアの平面図である。
【図１１】図１１は、従来のモータと本実施形態に係るモータの振動変位の比較図である。
【図１２】図１２は、従来のモータの上下変形を説明するための模式図である。
【図１３】図１３は、従来のモータのねじれ変形を説明するための模式図である。
【図１４】図１４は、モータ脚部の振動を説明するための模式図である。
【図１５】ストレートコアによって形成されたステータコアと、モータ脚部との位置関係の従来例を示す模式図である。
【発明を実施するための形態】
【０００９】
添付図面を参照して、本発明に好適な実施形態について説明する。なお、各図において、同一の符号を付したものは、同一又は同様の構成を有する。本実施形態において、軸方向とは、モータ軸の軸方向をいい、径方向とはステータコアの径方向をいう。
【００１０】
［モータの構成］
まず、図１から図９を参照して、本発明に係るモータの一実施形態の構成について説明する。図１は、本実施形態に係るモータの外観を示す斜視図である。図２は、本実施形態に係るモータの外観を示す平面図である。図３は、本実施形態に係るモータの内部構造を示す軸方向断面図である。
【００１１】
図１から図３に示すように、本実施形態に係るモータ１は、モータ軸１０、ステータコア２０、モータ脚部４０、補強リブ５０及びボルト孔６０を備えている。以下、各構成要素ごとに説明する。
【００１２】
図３に示すように、円筒体状のモータ本体（ハウジング）２の上面フランジ部３の中央部、及びモータ脚部４０の中央部には、軸受４，４が内蔵されている。これらの軸受４，４内にはモータ軸１０が回転可能に支持される。モータ軸１０の周囲には、ロータ６が固定されている。ロータ６の周囲には、エアギャップを隔てて、ステータコア２０が設けられている。ロータ６は、ステータコア２０内で回転する。
【００１３】
図４は、ステータコアがストレートコアによって形成されている場合の平面図である。図５Ａは、ストレートコアを円環状に成形した場合の凸形状のステータコアの模式図である。図５Ｂは、ストレートコアを円環状に成形した場合の凹形状のステータコアの模式図である。
【００１４】
ステータコア２０は、円筒体状のモータ本体（ハウジング）２内で、ロータ６の周囲を覆っている（図３参照）。ステータコア２０は、複数の分割コア２１を円環状に成形して構成されている。本実施形態のステータコア２０は、１２個分の分割コア２１を円環状に成形して構成されている。図４では、ステータコア２０がストレートコアによって形成されている。すなわち、ステータコア２０は単一の部材であり、複数の分割コア２１は、一か所の接続部３０を除いてそれぞれが繋がった部材である。複数の分割コア２１を円環状に成形し、接続部３０を溶接等により接続することで、円環状のステータコア２０が形成される。ステータコア２０は、円弧状のヨーク２２と、このヨーク２２の内周に径方向内側へ突出するＴ字状のティース２３とを備える。ティース２３にはコイル（図示せず）が巻き付けられる。
【００１５】
図５Ａに示すように、ストレートコアを円環状に成形する際、ステータコア２０の径方向内側の外形（ティースの径方向内周面を仮想的に繋いだ線）は、一部が径方向外方へ突出する凸形状（しずく形状）になる。この場合、ステータコア２０には、径方向に突出した突出部３１が一つ形成される。他方、図５Ｂに示すように、ストレートコアを円環状に成形する際、ステータコア２０の径方向内側の外形（ティースの径方向内周面を仮想的に繋いだ線）は、一部が径方向内側にくぼむ凹形状（りんご形状）になる場合もある。この場合、ステータコア２０には、径方向に没入した没入部３１が一つ形成される。なお、図５Ａおよび図５Ｂに示した径方向内側の外形（ティースの径方向内周面を仮想的に繋いだ線）は、説明のために突出部または没入部を強調して表したものであり、実際の縮尺とは異なる。
【００１６】
このように、ステータコア２０には、径方向に突出した突出部３１、または径方向に没入した没入部３２が少なくとも一つ形成される。すなわち、ステータコア２０は、突出部または没入部を少なくとも一つ有する。突出部３１または没入部３２は、分割コア２１同士を接続する接続部３０である。突出部３１または没入部３２の数は、ステータコア２０がいくつの部材からなるかによって異なる。図４に示すように、ステータコア２０がストレートコアによって形成されている場合は、接続部３０は１か所である。
【００１７】
図６Ａは、ステータコアが２分割コアによって形成されている場合の平面図である。図６Ｂは、ステータコアが３分割コアによって形成されている場合の平面図である。
【００１８】
図６Ａでは、ステータコア２０が２分割コアによって形成されている。すなわち、ステータコア２０は二つの部材であり、複数の分割コア２１は、２か所の接続部３０を除いてそれぞれが繋がった部材である。２分割コアを円環状に成形し、２か所の接続部３０を溶接等により接続することで、円環状のステータコア２０が形成される。ステータコア２０が２分割コアによって形成されている場合は、接続部３０は２か所である。２分割コアの場合、接続部３０は互いに周方向に１８０度の角度を隔てて配置され、互いに径方向に対向する。
【００１９】
図６Ｂでは、ステータコア２０が３分割コアによって形成されている。すなわち、ステータコア２０は三つの部材であり、複数の分割コア２１は、３か所の接続部３０を除いてそれぞれが繋がった部材である。２分割コアを円環状に成形し、３か所の接続部３０を溶接等により接続することで、円環状のステータコア２０が形成される。ステータコア２０が３分割コアによって形成されている場合は、接続部３０は３か所である。３分割コアの場合、接続部３０は互いに周方向に１２０度の角度を隔てて配置されている。
【００２０】
図１及び図２を参照して、モータ脚部４０は、モータ軸１０の軸方向一方側に位置する。本実施形態では、モータ脚部４０は、モータ軸１０に対して、上面フランジ部８０と反対側の底部に位置する。モータ脚部４０とモータ本体（ハウジング）２は、一体構造に形成されている。モータ脚部４０の外形は、軸方向に視て、軸中心を通る対称軸について線対称な形状である。軸中心は、モータ軸の中心である。
【００２１】
モータ脚部４０の上記線対称な形状としては、例えば、軸方向に視て、多角形状、長方形状、三角形状、楕円形または長円形が挙げられる。多角形状は、角部に面取り加工を施した略多角形状を含む概念である。長方形状は、角部に面取り加工を施した略長方形状を含む概念である。三角形状は、角部に面取り加工を施した略三角形状を含む概念である。モータ脚部４０が例示した形状である場合、突出部３１または没入部３２は、軸方向に視て、対称軸に対し角度を持つ方向に存在している。本実施形態において、突出部３１または没入部３２は、上記の対称軸に対し平行でない。本実施形態において、突出部３１または没入部３２は、上記の対称軸に対し垂直でない。
【００２２】
図７は、本実施形態において、長方形状のモータ脚部にストレートコアのモータを配置した場合の模式図である。図８は、本実施形態において、長方形状のモータ脚部に２分割コアのモータを配置した場合の模式図である。図９は、本実施形態において、長方形状のモータ脚部に３分割コアのモータを配置した場合の模式図である。
【００２３】
図７から図９に示すように、モータ脚部４０の外形が長方形状である場合は、突出部３１は、軸方向に視て、軸中心からモータ脚部４０の外形の対角線方向に存在している。図７では、長方形状のモータ脚部４０にステータコアがストレートコアによって形成されたモータ１を配置しているが、１か所の突出部３１は長方形状の対角線４１の方向に存在している。図８では、長方形状のモータ脚部４０にステータコアが２分割コアによって形成されたモータ１を配置しているが、互いに径方向で対向する２か所の突出部３１は長方形状の対角線４１の方向に存在している。図９では、長方形状のモータ脚部４０にステータコアが３分割コアによって形成されたモータ１を配置しているが、周方向に１２０度の角度を隔てた３か所の突出部３１は、それぞれ長方形状の対角線４１の方向に近い方向に存在している。３分割コアの場合、３つ全ての突出部または没入部が、軸方向に視て、モータ脚部４０の短辺方向または長辺方向を向かない。すなわち、３つ全ての突出部または没入部が、モータ脚部４０の軸中心を通る対称軸に対し角度を持つ方向に存在している。
【００２４】
図１及び図２を参照して、モータ脚部４０は、補強リブ５０を備える。補強リブ５０は、モータ脚部４０を補強する部材である。補強リブ５０は、板状である。補強リブ５０は、振動によるモータ脚部４０の変形を防止する。補強リブ５０は、モータ脚部４０とモータ本体（ハウジング）２とを接続する。図７から図９を参照して、補強リブ４０は、軸方向に視て、モータ本体２から突出部３１（または没入部３２）が存在する方向に配置されている。即ち、補強リブ５０は、モータ脚部４０の対角線４１の方向に配置されている。図１に示すように、補強リブ５０の板厚ｔは、モータ脚部４０の軸方向厚みＴと等しい厚さを有する。また、補強リブ５０の軸方向高さｈは、ステータコア２０の軸方向高さＨと等しい高さを有する。
【００２５】
図７から図９に示すように、ボルト孔６０は、ボルト（図示せず）を挿入して機器本体に固定して、機器にモータ１を取り付けるための孔である。モータ脚部４０は、複数のボルト孔６０を有する。補強リブ５０は、ボルト孔６０よりも径方向内側に位置していることが好ましい。即ち、モータ脚部４０において、ボルト孔６０は、補強リブ５０の径方向外側の先端部よりも径方向内側に位置している。
【００２６】
図１０は、本実施形態において、溝を有するステータコアの平面図である。図１０に示すように、ステータコア２０の外周面の一部には、径方向にくぼむ溝７０が設けられている。溝７０は、ステータコア２０の位置決めをするための溝部である。溝７０に冶具を挿入する等によって、ステータコア２０の周方向の位置決めを容易にすることができる。本実施形態では、ステータコア２０の外周面の一か所に溝７０が形成されているが、２か所以上に形成しても構わない。溝７０は、接続部３０（突出部または没入部）が存在する部位と径方向で対向する位置に形成することが好ましい。組立時に接続部３０（突出部または没入部）が存在する位置を確認しやすいからである。
【００２７】
本実施形態に係るモータ１の極数は１０極、スロット数は１２スロットであることが好ましい。極数が１０極で、スロット数が１２スロットのモータ１は、電磁力モードが楕円となり、偏心による電磁力変動を起因とする振動や騒音が発生しやすいため、本発明を適用することが望ましいからである。
【００２８】
［モータの作用］
次に、図７から図９および図１１を参照して、本実施形態に係るモータ１の作用について説明する。以下の説明は、長方形状のモータ脚部を有するモータを例示して説明する。
【００２９】
図１２は、従来のモータの上下変形を説明するための模式図である。図１２に示すように、従来の長方形状のモータ脚部と円筒体状のモータ本体（ハウジング）を有するモータでは、電磁力が作用して、円筒体状のハウジングが楕円形に変形する。モータ本体（ハウジング）とモータ脚部は一体構造となっているため、円筒体状のハウジングがＸ−Ｘ方向、Ｙ−Ｙ方向に楕円変形すると、モータ脚部がＺ−Ｚ方向に変形する。
【００３０】
具体例として、例えば、１０極１２スロットのモータでは、電磁力により上記のような楕円変形が生じやすい。上記のような楕円変形による振動や騒音は、実用的な洗濯機の運転領域（回転数）で問題となりやすい。振動や騒音を低減するには、モータ脚部をＺ−Ｚ方向に変位し難い構造に構成する必要がある。
【００３１】
図１３は、従来のモータのねじれ変形を説明するための模式図である。Ｙ−Ｙ軸を回転位置０度とし、反時計回りに回る方向にロータの回転位置が増大する。軸中心からロータの位置への方向に対し、振動が発生する。図１３に示すように、回転位置４５度のとき、モータ脚部の変形がねじれ変形となる。ねじれ変形ではＺ−Ｚ方向の変位が小さくなり、モータ取付板で音に変換される振動変位量が減り、騒音が低減できる。すなわち、モータ脚部は、回転位置４５度方向への振動に対して頑丈であり、振動・騒音を生じにくい。
【００３２】
図１４は、モータ脚部の振動を説明するための模式図である。図１４において、モータ取付板１０４にモータ１０１が取り付けられる。モータ１０１は、ベルト１０２を介してギヤ１０３を駆動する。モータ取付板１０４は、洗濯機等の取付対象の機器に取り付けられる。モータの振動は、モータ脚部からモータ取付板１０４に伝搬する。振動の伝搬により、モータ取付板１０４の全体が１次、２次、３次のように振動して、放射面積が大きくなることから、騒音が拡大発生する。
【００３３】
図１５は、ストレートコアによって形成されたステータコアと、モータ脚部との位置関係の従来例を示す模式図である。図１５に示す従来例のステータコアは、ストレートコアによって形成され、突出部は１か所である。モータ脚部は、軸方向に視て、長方形状である。左に示す従来例では、突出部は、軸方向に視て、モータ脚部の長辺と直交する方向に存在している。右に示す従来例 では、突出部は、軸方向に視て、モータ脚部の短辺と直交する方向に存在している。突出部は、局所的な電磁力が他の部位より低くなりやすく、この位置の半径方向加振力が大きくなる。したがって、従来例では、モータ脚部の振動モードの振動方向と、加振力の方向が一致し、振動が大きくなりやすい。本実施形態では、突出部の突出方向と、モータ脚部の振動モードの方向が一致しないため、振動が抑制される。
【００３４】
加振力に対してモータの変形が大きくならないように、従来は、ステータコアの周囲に樹脂モールド部を設け、剛性を大きくしている。しかし、樹脂モールド部の肉厚を大きくして全体重量を大幅に増大させるのは好ましくない。
【００３５】
そこで、図７から図９に示すように、本実施形態に係るモータ１では、長方形状のモータ脚部４０において最長である対角線４１の方向の４箇所にだけ補強リブ５０を形成している。対角線４１の方向に補強リブ５０を設けることにより、重量増を最小限にしたままで、ステータコア２０の変形を最大限に抑制し、振動を軽減することができる。
【００３６】
また、この補強リブ５０の位置に向けて、分割コア２１の接続部（突出部３１または没入部３２）を配置する。分割コア２１の突出部３１または没入部３２の方向に発生する電磁力の変動に起因する加振力が発生しても、補強リブ５０が変形を抑制する。
【００３７】
極数が１０極で、スロット数が１２スロットのモータのように、対向する位置の電磁力が同時に発生する型式のモータでは、振動が問題となりやすい。本実施形態に係るモータ１では、「分割コアの接続部の方向の加振力」が補強リブ５０の補強構造によって支えられているので、振動が大きくならない。
【００３８】
図１１は、従来のモータと本実施形態に係るモータの振動変位の比較図である。図１１に示すように、本実施形態に係るモータ１によれば、従来に比して、振動が大幅に低減されている。即ち、本実施形態に係るモータ１によれば、モータ脚部への上下振動伝達が小さくなる。分割コアを用いることでステータコアの真円度を損なう場合でも、振動を低減することができ、取付対象の機器への振動伝達を低減可能なモータを提供することができる。
【００３９】
以上説明したように、本実施形態に係るモータ１は、径方向に突出した突出部３１、または径方向に没入した没入部３２を少なくとも一つ有するステータコア２０と、モータ軸１０の軸方向一方側に位置するモータ脚部４０と、を備える。モータ脚部４０の外形は、軸方向に視て、軸中心を通る対称軸について線対称な形状であり、突出部３１または没入部３２は、軸方向に視て、対称軸に対し角度を持つ方向に存在している。この態様によれば、突出部３１または没入部３２が、軸方向に視て、モータ脚部４０の外形の辺の延長線と交わる方向に存在するので、モータ脚部４０の振動方向と、ステータコア２０の不連続部から生じる加振力の方向と、がずれるため、モータ１の振動や騒音を低減することができる。
【００４０】
また、本実施形態に係るモータ１の突出部３１または没入部３２は、分割コア２１同士を接続する接続部３０である。この態様によれば、接続部３０における寸法誤差に起因するモータ１の振動や騒音を低減することができる。
【００４１】
さらに、本実施形態に係るモータ１のステータコア２０はストレートコアによって形成され、接続部３０は１か所である。この態様によれば、ストレートコアで形成されたモータ１の振動や騒音の低減に有効である。
【００４２】
また、本実施形態に係るモータ１のステータコア２０は２分割コアによって形成され、接続部３０は２か所であり、該接続部３０は互いに径方向に対向していてもよい。この態様によれば、２分割コアで形成されたモータ１の振動や騒音の低減に有効である。
【００４３】
さらに、本実施形態に係るモータ１のステータコアは３分割コアによって形成され、接続部３０は３か所であり、互いに周方向に１２０度の角度を隔てて配置されていてもよい。この態様によれば、３分割コアで形成されたモータ１の振動や騒音の低減に有効である。
【００４４】
また、本実施形態に係るモータ１のモータ脚部４０は、軸方向に視て、多角形状である。この態様によれば、ベルト付モータにおいて多角形状のモータ脚部４０はベルトの張力を受けやすく、当該多角形状のモータ脚部４０を有するモータ１の振動や騒音の低減に有効である。
【００４５】
さらに、本実施形態に係るモータ１の突出部３１または没入部３２は、軸方向に視て、軸中心からモータ脚部４０の外形の対角線方向に存在していることが好ましい。この態様によれば、モータ脚部４０の外形の対角線方向は振動が生じ難く、この対角方向に突出部３１または没入部３２が存在するため、突出部３１または没入部３２の加振力に起因したモータの振動や騒音を低減することができる。
【００４６】
また、本実施形態に係るモータ１のモータ脚部４０は、軸方向に視て、長方形状であってもよい。この態様によれば、モータ脚部における、モータ本体（ハウジング）を支持する領域以外のスペースが少なく済む。そのため、モータ取付板への取り付けがしやすく、さらに、コストを抑制できる。また、ベルト付モータにおいて、ベルトの張力がかかる方向に長方形状の角部を配置すれば、長方形状のモータ脚部４０はベルトの張力を受けやすく、当該長方形状のモータ脚部４０を有するモータ１の振動や騒音の低減に有効である。
【００４７】
さらに、本実施形態に係るモータ１のモータ脚部４０は、軸方向に視て、三角形状であってもよい。この態様によれば、ベルト付モータにおいて、ベルトの張力がかかる方向に長方形状の角部を配置すれば、三角形状のモータ脚部はベルトの張力を受けやすく、当該三角形状のモータ脚部４０を有するモータの振動や騒音の低減に有効である。三角形状のモータ脚部は、他の形状に比べ、このような配置をとったときに無駄なスペースを生じにくい。
【００４８】
そして、本実施形態に係るモータ１のモータ脚部４０は、軸方向に視て、楕円形または長円形であってもよい。この態様によれば、モータ脚部における、モータ本体（ハウジング）を支持する領域以外のスペースが少なく済む。そのため、モータ取付板への取り付けがしやすく、さらに、コストを抑制できる。
【００４９】
また、本実施形態に係るモータ１のモータ脚部４０は、モータ本体２を接続する補強リブ５０を備えることが好ましい。この態様によれば、モータ脚部４０が補強リブ５０を備えることによって、ステータコア２０の変形を抑制し、モータ１の振動や騒音を低減することができる。
【００５０】
さらに、本実施形態に係るモータ１の補強リブ５０は、モータ本体２から突出部３１または没入部３２が存在する方向に配置されていることが好ましい。この態様によれば、モータ脚部４０が補強リブ５０を備えることによって、ステータコア２０の変形を抑制し、モータ１の振動や騒音を低減することができる。
【００５１】
そして、本実施形態に係るモータ１の補強リブ５０は板状であり、該補強リブ５０の板厚ｔはモータ脚部４０の軸方向厚みＴと等しいことが好ましい。この態様によれば、補強リブ５０の板厚ｔをモータ脚部４０の軸方向厚みＴと等しくすることにより、補強リブ５０の形成による重量増加を抑えつつ、モータ１の振動や騒音を低減することができる。
【００５２】
また、本実施形態に係るモータ１のモータ脚部４０はボルト孔６０を有し、補強リブ５０はボルト孔６０よりも径方向内側に位置していることが好ましい。この態様によれば、補強リブ５０はボルト孔６０よりも径方向内側に位置するので、補強リブ５０の形成による重量増加を抑えつつ、モータ１の振動や騒音を低減することができる。
【００５３】
さらに、本実施形態に係るモータ１において、補強リブ５０の軸方向高さｈは、ステータコア２０の軸方向高さＨと等しいことが好ましい。この態様によれば、補強リブ５０の軸方向高さｈをステータコア２０の軸方向高さＨと等しくすることにより、補強リブ５０の形成による重量増加を抑えつつ、モータ１の振動や騒音を低減することができる。
【００５４】
そして、本実施形態に係るモータ１は、ステータコア２０の外周面に溝７０が設けられていることが好ましい。この態様によれば、ステータコア２０の外周面に溝７０が設けることにより、ステータコア２０の取り付けの際に、ステータコア２０の周方向位置決めをしやすい。
【００５５】
また、本実施形態に係るモータ１の極数は１０極、スロット数は１２スロットであることが好ましい。極数が１０極で、スロット数が１２スロットの分割コアモータ１は、電磁力モードが楕円となり、騒音が課題である。この態様によれば、この種のモータ１において、騒音低減効果を発揮することができる。
【００５６】
以上説明した実施形態は、本発明の理解を容易にするためのものであり、本発明を限定して解釈するためのものではない。実施形態が備える各要素並びにその配置、材料、条件、形状及びサイズ等は、例示したものに限定されるわけではなく適宜変更することができる。また、異なる実施形態で示した構成同士を部分的に置換し又は組み合わせることが可能である。
【００５７】
上記実施形態では、長方形状のモータ脚部を有するモータを例示して説明したが、多角形状、三角形状、楕円形及び長円形のモータ脚部を有するモータであっても、同様の作用効果を有する。また、上記実施形態では、ストレートコアや２分割コア、３分割コアによって形成されるステータコアを有するモータを例示して説明したが、４分割コアや、それ以上の数の部材によって形成されるステータコアを用いても良い。本発明は、軸方向に視て、モータ本体（ハウジング）とモータ脚部が同形状のモータにも適用できる。
【産業上の利用可能性】
【００５８】
本実施形態に係るモータは、円筒体状のモータ本体（ハウジング）とモータ脚部を有する構造であれば、洗濯機のみならず、例えば、工作機械やポンプ等に使用されるフランジ型のモータにも適用可能である。
【符号の説明】
【００５９】
１…モータ
１０…モータ軸
２０…ステータコア
３０…接続部
３１…突出部
３２…没入部
４０…モータ脚部
５０…補強リブ
６０…ボルト孔
７０…溝
【図１】
2020058115.tif 000003
【図２】
2020058115.tif 000004
【図３】
2020058115.tif 000005
【図４】
2020058115.tif 000006
【図５Ａ】
2020058115.tif 000007
【図５Ｂ】
2020058115.tif 000008
【図６Ａ】
2020058115.tif 000009
【図６Ｂ】
2020058115.tif 000010
【図７】
2020058115.tif 000011
【図８】
2020058115.tif 000012
【図９】
2020058115.tif 000013
【図１０】
2020058115.tif 000014
【図１１】
2020058115.tif 000015
【図１２】
2020058115.tif 000016
【図１３】
2020058115.tif 000017
【図１４】
2020058115.tif 000018
【図１５】
2020058115.tif 000019